(57)【要約】【課題】  従来、インクリボンの使用量をカウントしていないと、あと何枚プリントできるかがわからず、いきなり残量が０となってユーザーが慌てることが多い。また、インクリボンの残量を示すような機構をインクリボンカセットがもっていてもそれを示すための機構をプリンターにもたせなければならず簡便なプリンターを構成することが難しい。【解決手段】  余白部分を容易に手で切り取り可能な記録用紙を用いるプリンターに用いるインクリボンにおいて、前記インクリボンの、前記記録用紙の余白部分に対応する部分にインクリボンの未使用部の残量を示す文字を塗布してあることを特徴とするインクリボン。【選択図】  図８
2006168016.tif 000002
【特許請求の範囲】
【請求項１】
余白部分を容易に手で切り取り可能な記録用紙を用いるプリンターに用いるインクリボンにおいて、前記インクリボンの、前記記録用紙の余白部分に対応する部分にインクリボンの未使用部の残量を示す文字を塗布してあることを特徴とするインクリボン。
【請求項２】
前記インクリボンの未使用部の残量を示す文字は、印刷された画像を保護するために用紙表面全域に転写されるオーバーコート層に塗布してあることを特徴とする請求項１に記載のインクリボン。
【請求項３】
余白部分を容易に手で切り取り可能な記録用紙を用いるプリンターにおいて、インクリボンの、前記記録用紙の余白部分に対応する部分にインクリボンの未使用部の残量を示す文字を塗布するとともに、該インクリボン上に塗布された文字を前記記録用紙の余白部分に転写するように印字動作を行うようにした事を特徴とするプリンター装置。
【請求項４】
容易に手で切り取り可能な余白部分を、紙の送り方向の前後に配置した記録用紙を用いるプリンターに用いるインクリボンにおいて、前記インクリボンは複数の色を一定の間隔で順次塗布してあるとともに、インクリボンの未使用部の残量に応じて、特定の色の塗布長さを前記記録用紙の送り方向の後側余白部分まで覆うような長さとし、他の色は少なくとも前記記録用紙の記録部分を覆い、それ以降送り方向の後側余白部分を覆う範囲には塗布しないようにしたことを特徴とするインクリボン。
【請求項５】
前記インクリボンのインクにはシアン、マゼンダ、イエローの３色を用いるとともに、インクリボンの未使用部の残量が十分あるときはシアンの塗布長さを前記記録用紙の余白部分を覆うような長さとし、インクリボンの未使用部の残量が少なくなってきたときはイエローを、残量が無い場合はマゼンダの塗布長さを前記記録用紙の余白部分を覆うような長さとしたことを特徴とする請求項４に記載のインクリボン。
【請求項６】
余白部分を容易に手で切り取り可能な記録用紙を用いるプリンターにおいて、インクリボンは複数の色を一定の間隔で順次塗布してあるとともに、インクリボンの未使用部の残量に応じて、特定の色の塗布長さを前記記録用紙の送り方向の後側余白部分まで覆うような長さとし、他の色は少なくとも前記記録用紙の記録部分を覆い、それ以降送り方向の後側余白部分を覆う範囲には塗布しないように構成し、前記プリンターは前記記録用紙の送り方向の後側余白部分において、転写動作を行うように構成したことを特徴とするプリンター。
【発明の詳細な説明】
【技術分野】
【０００１】
本発明は熱転写プリンター等のインクリボンを使用するプリンター装置に関するものである。
【背景技術】
【０００２】
従来から印画用紙に感熱型の用紙を用い、主走査方向に配列された複数個の発熱体を選択的に駆動して、用紙を副走査方向に搬送することで、用紙にドットライン上に印画を行うライン熱転写方式のプリンターが存在する。
【０００３】
このようなプリンターではインクの供給源として１枚のプリントごとに区分けしたインクが塗布された長尺のインクリボンを供給スプールと巻き取りスプールに巻いてケースに収めたインクリボンカセットが用いられる。
【０００４】
そして、カラー印刷を行う場合は３色のインクを順次並べて塗布したインクリボンを用いる。
【０００５】
このようなインクリボンの例を第５図に示す。
【０００６】
図において５１は巻き取りスプール、５２は供給スプールである。５３はインクが塗布されたインクリボンであり５４はインクの位置を示すための識別マークである。
【０００７】
インクリボン５３には図に示すようにY（イエロー）、M（マゼンダ）、C（シアン）の３色が順次塗布されその後にプリント後の記録紙を保護するためのOC(オーバーコート層)が塗布されている。そして各色の間には黒い識別マーク５４を塗布することで各色のインクの位置を示すとともに、Yの前には２本識別マーク５４を塗布することで１枚のプリントを行う際の先頭の位置を示している。
【０００８】
プリンターはこの２本連続した識別マーク５４を認識してY、M、Cの順にプリントした後、全面にOCをプリントして、印刷面を保護する。
【０００９】
そして、カラーインクリボンの残量が分かるようにリボン上に枚数と色を記入し、装置の外側に見えるようにしたものがある（例えば特許文献１）。
【特許文献１】特開平５−１１６４３８号公報
【発明の開示】
【発明が解決しようとする課題】
【００１０】
しかしながら、上記従来例ではインクリボンの使用量をカウントしていないと、あと何枚プリントできるかがわからず、いきなり残量が０となってユーザーが慌てることが多い。
【００１１】
また、インクリボンの残量を示すような機構をインクリボンカセットがもっていてもそれを示すための機構をプリンターにもたせなければならず簡便なプリンターを構成することが難しい。
【００１２】
本発明は以上の様な問題点を考慮してなされたものであり、インクリボンカセットに収められたインクリボンの残量を簡便に示すインクリボンカセットおよびプリンター装置を提供することを目的とするものである。
【課題を解決するための手段】
【００１３】
上記の目的を達成する為に本発明によれば、紙送りのための余白部分を容易に手で切り取り可能な記録用紙を用いるプリンターにおいて、インクリボン上の前記記録用紙の余白部分に対応する位置に残量を示す数字を塗布しておき、印画時にこの数字を前記余白部分に転写することで、インクリボンの使用量をカウントすることなく印刷後切り離す余白部分を用いてインクリボンの残量を示すことが可能となる。
【００１４】
また請求項２では、紙送りのための余白部分を容易に手で切り取り可能な記録用紙を用いるプリンターにおいて、インクリボン上に塗布されるインクの塗布長さを残り枚数とインクの色に応じて変化させ、前記余白部分上でサーマルヘッドに通電してライン等を転写することで、インクリボンの使用量をカウントすることなく印刷後切り離す余白部分を用いてインクリボンの残量が僅少になったことを警告することが可能となる。
【発明の効果】
【００１５】
以上説明した様に、本発明によればインクリボンの隅部にインクリボンの残枚数を示す数字を塗布し、記録用紙の余白部分に転写するようにしたので、プリンター装置およびインクリボンカートリッジに印刷枚数のカウントをするための機構を設けることなく、インクリボンの残枚数のカウントが可能であり、また、プリンターに表示部を設けることなく残枚数のカウントが可能となる。そのため、プリンター、インクリボンカートリッジともに簡便な構成とすることができる。
【００１６】
また、インクリボン上に塗布するインクの塗布長さをインクリボンの残り枚数とインクの色に応じて変化させることで、余白部分に塗布されるラインの色をインクリボンの残り枚数に応じて変えることができ、簡便な構成でインクリボンの残量が僅少になったことを警告できるとともに、インクの塗布長さを変えるだけなので、インクの塗布工程も簡便にできる。
【発明を実施するための最良の形態】
【００１７】
図１至る図４において本発明の実施例について説明する。本装置は、プリンター部に昇華型の熱転写記録方式を採用し、電子的な画像の情報を任意なプリント枚数分プリントアウトすることが出来るものである。この装置について手順に従って説明する。
【００１８】
本発明に係わる通常の熱転写記録装置の一実施形態について、図面を参照して具体的に説明する。
【００１９】
図１は実施形態に係わる記録装置の側面の構成模式図である。まず、記録装置の全体構成について説明すると、装置本体１に記録用紙Ｐを積載した用紙カセット２から給紙ローラ３で一枚ずつ分離給送する。この際記録用紙Pは給紙時にバネ２０によって付勢された押上げ板２１によって給紙ローラ３に当接する。
【００２０】
記録用紙Pは記録用紙Pの紙の反りによる給紙不良を防ぐため、反りを矯正できる程度の作用力の用紙押さえバネ２４によって押さえられている。
【００２１】
そして、給紙ローラ３によって搬送された記録用紙Pは搬送ローラ対４で挟持搬送されて記録部を往復可能にしている。搬送ローラ対４はピンチローラ４−２とグリップローラ４−１で構成されている。
【００２２】
記録部においては記録用紙搬送経路を挟んでプラテンローラ５と記録情報に応じて発熱するサーマルヘッド６が対向しており、インクカセット７に収納される、熱溶融性または熱昇華性インクを塗布したインク層と印画面を保護するために印画面上にオーバーコートされるオーバーコート層をもつインクシート８をサーマルヘッド６によって記録用紙Ｐに押圧するとともに、選択的に加熱することにより、該記録用紙Pに所定画像を転写記録し、または保護層がオーバーコートされる。インクシート８は供給側７−２から巻き取り側７−１へ巻き取られる。
【００２３】
上記インクシートはイエロー(Ｙ)、マゼンタ(Ｍ)、シアン(Ｃ)の各インク層とオーバーコート(ＯＰ)層が並べて設けられたものであり、各層間の識別マークとしてオーバーコート層とイエロー層の間には２本、他の層の間には１本の黒帯が印刷されている。そしてこの帯をインク位置センサー１１で検出するまでインクシートを巻き取り、各層ずつ熱転写しては、記録用紙Pを記録開始位置P1に戻し、記録紙上に、順次重ねて転写される。
【００２４】
このように、記録用紙Pは搬送ローラ対4により、各色インク及びオーバーコート層の数だけ往復される。
【００２５】
この際、各インク層の印画後の記録用紙Pは装置本体１前方で搬送経路切り替えシート１６によって搬送路が切り替えられ、ガイド部１５に沿って排出方向へ導紙されている。
【００２６】
一方サーマルヘッド６の発熱を伴う動作によって装置が過熱して所定の性能を引き出せない場合があってはならない。特にサーマルヘッド６近傍もしくは取り付け部品であるヘッドアーム２２が蓄熱していると印画のための過熱制御がうまくいかないことがある。そこでファン２３を設け、ヘッド近傍が所定の温度を上回った場合にはファン２３を回して空冷する。
【００２７】
２６は排紙トレイ部でありこの上面は印画されて排紙された記録用紙Pのトレイ部分を兼用しており、用紙交換時には開くように構成されている。
【００２８】
前述の用紙押さえバネ２４はこの排紙トレイ部２６の内側の左右２箇所に配設されている。
【００２９】
各インク層の印画終了後に記録用紙Pは排紙ローラ９へ案内され装置本体１前方に向かって排出され記録動作が終了する。
【００３０】
また印画用のサーマルヘッド６はヘッドアーム２２に一体的に具備されており、インクカセット７を交換する場合にはインクカセット７の抜き差しに支障ない位置まで退避する。
【００３１】
通常の熱転写記録装置ではYMC３色を３回面順次で記録する為、各色の記録先端を正確に合致させる制御が必要となる。このためには、図５に示す搬送ローラ対４で記録用紙Pを離さずしっかり挟持し搬送を行う必要がある。この為、記録用紙Pの送り方向の先端部には記録不可能な余白部が必要となる。これを鑑み、最終的に、容易に、縁のない印画物を得るために、図３に示す様に、記録用紙Pには、記録開始時搬送ローラ対４でしっかり挟持され記録できない余白部分３３を後で容易に手で切取り可能な様にミシン目３２が設けられる。また、余白部分は記録用紙を前後逆にセットしても印画可能なように送り方向の後端部３４にも設けられているが、こちら側には印画が可能である。
【００３２】
本発明は、上記説明したミシン目をもつ記録用紙Pと熱転写記録装置をもちいて実施され、上記の記録紙に設けられたミシン目領域にはオーバーコートするものとする。
【００３３】
また左下がり斜線で示す領域３５は印画の領域であり、ミシン目を含む領域を印画する様に制御される。オーバーコートは略印画される領域であり且つ印画される領域よりやや大きく印画される領域を含むように印画する様に制御される。
【００３４】
更に以下に装置に関わる詳しい説明をする。
【００３５】
図１に示す、記録装置１において、搬送ローラ対４は、ピンチローラ4−2とグリップローラ4−1からなり、このグリップローラ4−1は、図示しないステッピングモータの出力軸が減速機構を介してして直結され、このステッピングモータの回転制御により、正逆自在に駆動される。記録用紙Pは、搬送ローラ対４によりしっかりと挟持され、往復搬送されるものであるから、記録用紙Pもまた、ステッピングモータの回転制御により、正確に位置制御され、搬送駆動される。
【００３６】
図１に示す、記録装置１において、給紙ローラ３から搬送ローラ対４を見て、搬送ローラ対４の近傍の位置に、記録紙先端検出センサー10が置かれ、これにより記録紙の先端を検出し、検出後、搬送ローラ対４で挟持できる範囲で所定ラインを送り停止させる。この位置が前述の記録開始時の位置となる。ここからまず最初のYイエローからサーマルヘッド６を記録情報に応じて発熱駆動し、各色インクの所定画像を記録し、またはオーバーコート層を転写する。１色が終わると次にこの位置から記録紙を排紙ローラ９のある方向に戻して搬送し、再び所定のライン数を戻し送り、YMC各色及びオーバーコート層転写を４回繰返す。
【００３７】
この時、図３に示す印画物は、下記の様に各色インクを転写記録し、またオーバーコート層を転写することにより得られる。
【００３８】
図４に本実施例で使用されるインクリボンを示す。
【００３９】
図において４１はインクリボンの残り印画可能枚数を示す数字であり、図に示すようにOC（オーバーコート層）の隅部に黒色インクを用いて塗布されている。そしてその位置は記録用紙Pの後端側余白部分３４に対応している。
【００４０】
次に図２のフローチャートにおいて色インク転写及びオーバーコートシーケンスを説明する。
【００４１】
Ｓ1：使用者は不図示のプリントボタンなどによってプリント動作を指示する。
【００４２】
Ｓ2：装置本体１内部の処理回路１８はプリント指示を実行した機器との通信を開始し、処理回路１８ではプリント指示を実行した機器との間でプリントに必要な諸条件の確認や必要であれば画像情報の印画情報への画像処理を行う。
【００４３】
S3：印画準備ができたら制御手段１９はインクカセットの巻き取り側スプール７−１を回転させインクシート８を送りインク位置センサー１１でインクシート上の識別マークを検出する。検出したら所定量インクシート８を送り再び識別マークをチェックする。
【００４４】
ここで、識別マークを検出した場合はインクシート８が初期位置にセットされたとして送り動作を停止し、検出されない場合は送り動作を続けて再び初期位置検出動作を繰り返す。
【００４５】
Ｓ4：インクシートを初期位置にセットしたら制御手段１９は給紙ローラ３に連結されたモータを駆動して記録用紙Pを給紙開始する。
【００４６】
Ｓ5：記録紙先端検出後、ステッピングモータを所定ステップ分回転させ、停止する。
【００４７】
Ｓ6：引き続き、ステッピングモータを一定のステップで回転しながら、サーマルヘッドを発熱駆動し１ライン分の印画を行う。このときインクシートも記録紙と同じ速度で送られる。同様に印画を行いながら所定のライン分記録紙とインクシートを送り、印画を終了する。
【００４８】
S7：この状態から、ステッピングモータを逆転駆動し、記録用紙Pを印画時と逆方向に搬送し、所定のステップ数だけさせ、停止させる。
【００４９】
S8：インクシートを送りながらインク位置センサー１１で識別マークをチェックし、識別マークを検出したらインクの送りを停止する。
【００５０】
S9：上記をYMC３色分、３回程繰返し、所望の印画像を記録用紙Pに転写記録する。
【００５１】
S10：３色転写後、更に印画面保護の為のオーバーコート層を転写する。この場合は印画像をすべて覆うことと、残枚数を印字するため後端余白部３４まで転写する。
【００５２】
S11：その後ステッピングモータを駆動してそのまま排出ローラ９へ導き、排出ローラ９の駆動で用紙を排出して一連の動作を終了させる。
【００５３】
この一連の印画動作により、オーバーコート層上に塗布されたインクリボンの残り印画可能枚数を示す数字４１が、図３に示すように、記録用紙Pの後端側余白部分３４に残数表示３７として転写される。そして、この数字はミシン目１２によって切除することができる。
【００５４】
本実施例の場合はオーバーコート層を印画紙全面に転写する範囲を広げるだけで実現可能なためサーマルヘッドの制御が簡単であるという特徴がある。
【００５５】
（第二の実施例）
図５および図６、図７において本発明の第二の実施例について説明する。
【００５６】
図５は本発明の第２の実施例のインクリボンを示している。図５Cは残り印刷可能枚数が1枚のインクリボンを、図５Bは残り印刷可能枚数が５枚から２枚のインクリボン、図５Aはそれ以外の場合のインクリボンを示している。
【００５７】
図においてNCはインクが塗布されていない部分であり、印画時に記録紙に設けられたミシン目を過ぎた位置より塗布されていない部分が始まるように構成されている。そのため印画時に印画範囲を過ぎた後にサーマルヘッド６のヒーターをONすると、インクリボンの残りが十分ある場合は図５Aのインクシートのように、この部分にインクが塗布されていないYおよびMの色は転写されず、C（シアン）色のラインが余白部分に転写され、図６に示すように記録用紙Pの後端側余白部３４上にライン３６として表示される。
【００５８】
同様にインクリボンの残り印刷可能枚数が２枚から５枚の場合はY(イエロー)のラインが転写されて、インクリボンの残りが僅少であることを示し、インクリボンが最後の場合はM(マゼンダ)のラインが転写されてインクリボンの交換を促す。
【００５９】
次に図7のフローチャートにおいて色インク転写及びオーバーコートシーケンスを説明する。
【００６０】
Ｓ21：使用者は不図示のプリントボタンなどによってプリント動作を指示する。
【００６１】
Ｓ22：装置本体１内部の処理回路１８はプリント指示を実行した機器との通信を開始し、処理回路１８ではプリント指示を実行した機器との間でプリントに必要な諸条件の確認や必要であれば画像情報の印画情報への画像処理を行う。
【００６２】
S23：印画準備ができたら制御手段１９はインクカセットの巻き取り側スプール７−１を回転させインクシート８を送りインク位置センサー１１でインクシート上の識別マークを検出する。検出したら所定量インクシート８を送り再び識別マークをチェックする。
【００６３】
ここで、識別マークを検出した場合はインクシート８が初期位置にセットされたとして送り動作を停止し、検出されない場合は送り動作を続けて再び初期位置検出動作を繰り返す。
【００６４】
Ｓ24：インクシートを初期位置にセットしたら制御手段１９は給紙ローラ３に連結されたモータを駆動して記録用紙Pを給紙開始する。
【００６５】
Ｓ25：記録紙先端検出後、ステッピングモータを所定ステップ分回転させ、停止する。
【００６６】
Ｓ26：引き続き、ステッピングモータを一定のステップで回転しながら、サーマルヘッドを発熱駆動し１ライン分の印画を行う。このときインクシートも記録紙と同じ速度で送られる。同様に印画を行いながら所定のライン分記録紙とインクシートを送り、印画を終了する。
【００６７】
Ｓ7：印画終了後、記録紙とインクシートを数ライン分送り、サーマルヘッドを発熱駆動させてさらに数ライン分送ってラインを印刷し、サーマルヘッドの発熱を停止して紙送りを停止させる。
【００６８】
S8：この状態から、ステッピングモータを逆転駆動し、記録用紙Pを印画時と逆方向に搬送し、所定のステップ数だけさせ、停止させる。
【００６９】
S9：インクシートを送りながらインク位置センサー１１で識別マークをチェックし、識別マークを検出したらインクの送りを停止する。
【００７０】
S10：上記をYMC３色分、３回程繰返し、所望の印画像を記録用紙Pに転写記録する。
【００７１】
S11：その後、そして、更に一回印画面保護の為のオーバーコート層を転写する。
【００７２】
S12：その後ステッピングモータを駆動してそのまま排出ローラ９へ導き、排出ローラ９の駆動で用紙を排出して一連の動作を終了させる。
【００７３】
このように一連の動作においてはCMYの各色ごとに記録紙Pの後端側余白部３４にラインを引く動作をおこなうが、インクリボンの残量に応じて前記後端側余白部３４に対応するインクリボン上にインクを塗布しない色を変えているため、残り印刷可能枚数が十分ある場合は、C（シアン）色のラインが余白部分に転写され、インクリボンがまだ十分あることを表示する。
【００７４】
同様にインクリボンの残り印刷可能枚数が２枚から５枚の場合はY(イエロー)のラインが転写されて、インクリボンの残りが僅少であり交換時期が迫っていることを表示し、インクリボンが最後の場合はM(マゼンダ)転写されてインクリボンの交換を促す。
【００７５】
本実施例においてはインクの塗布を簡単にするため、インクを一面に塗布してラインを印画し、残り枚数に応じて色を変化させることでインクリボンの残りが少ないことを警告するようにしたが、実施例１同様、残枚数を示すように数字を塗布して印字できるようにしてもよい。
【００７６】
なお、本実施例においては、ラインを引いた余白部分を容易に切り離せるようにミシン目を入れた記録用紙を用いたが、台紙つきのシール紙を用い、シール紙のみに切込みを入れて必要な部分だけをはがして使用する記録紙を用いても同様の効果が得られることは明白である。これは実施例１においても同様である。
【図面の簡単な説明】
【００７７】
【図１】第一実施例の構成模式図
【図２】第一実施例のフローチャート
【図３】第一実施例の記録紙の図
【図４】第一実施例のインクリボンを示す図
【図５】第二実施例のインクリボンを示す図
【図６】第二実施例の記録紙の図
【図７】第二実施例のフローチャート
【図８】従来例のインクリボンを示す図
【符号の説明】
【００７８】
１  装置本体
２  用紙カセット
３  給紙ローラ
４  搬送ローラ対
４−１  グリップローラ
４−２  ピンチローラ
５  プラテンローラ
６  サーマルヘッド
７  インクカセット
７−１  巻き取り側
７−２  供給側
８  インクシート
９    排紙ローラ
１０  記録紙先端検出センサー
１１  インク位置センサー
１５  ガイド部
１８  処理回路
２０  バネ
２１  押上げ板
２２  ヘッドアーム
２３  ファン
２４  用紙押さえバネ
２５  切り欠き部
２６  排紙トレイ部
P  記録用紙
【図１】
2006168016.tif 000003
【図２】
2006168016.tif 000004
【図３】
2006168016.tif 000005
【図４】
2006168016.tif 000006
【図５】
2006168016.tif 000007
【図６】
2006168016.tif 000008
【図７】
2006168016.tif 000009
【図８】
2006168016.tif 000010